(57)【要約】【課題】ユーザ自身のチャンネル切替操作を必要とせずに、ＣＭなどにより一時的に切り替えたチャンネルを元の視聴していた番組のチャンネルに自動的に切り替えることができるテレビジョン放送受信装置を提供する。【解決手段】ＣＭ終了検出手段１０によってＣＭの終了時点が検出された場合に、チャンネル制御手段８は、チャンネルの変更前のチャンネル情報を第１のチャンネル選局制御手段４に送信し、第１の受信手段２は、送信されたチャンネルの変更前のチャンネル情報に基づき第１のチャンネル選局制御手段により生成されたチャンネル選局情報に基づいてチャンネルを選局する。【選択図】図１
2007116537.tif 000002
【特許請求の範囲】
【請求項１】
テレビジョン放送信号を受信し、チャンネル選局情報に基づいてそれぞれ選局した２つのチャンネルの各前記テレビジョン放送信号に含まれる映像信号及び音声信号を抽出する第１及び第２の受信手段と、
ユーザの視聴希望チャンネルを示すチャンネル情報を受け付ける指示受付手段と、
前記チャンネル情報に基づいて生成する前記チャンネル選局情報を前記第１及び第２の受信手段に通知し、放送番組のチャンネル選局のための制御を行う第１及び第２のチャンネル選局制御手段と、
前記第１及び第２の受信手段のそれぞれによって抽出された前記映像信号及び前記音声信号のデコード処理を行う第１及び第２の映像・音声デコード手段と、
前記チャンネル情報を前記第１のチャンネル選局制御手段に送信するとともに、前記チャンネル情報により示される前記ユーザの視聴希望チャンネルに変更があったとき、前記視聴希望チャンネルの変更前のチャンネル情報を前記第２のチャンネル選局制御手段に送信するチャンネル制御手段と、
前記チャンネル制御手段から受信した前記視聴希望チャンネルの変更前のチャンネル情報に基づき、前記第２のチャンネル選局制御手段により生成されたチャンネル選局情報に基づいて前記第２の受信手段によって選局されたチャンネルで放送されるＣＭの終了時点を検出するＣＭ終了検出手段とを備え、
前記チャンネル制御手段は、前記ＣＭ終了検出手段によって前記ＣＭの終了時点が検出された場合に、前記視聴希望チャンネルの変更前のチャンネル情報を前記第１のチャンネル選局制御手段に送信し、
前記第１の受信手段は、送信された前記視聴希望チャンネルの変更前のチャンネル情報に基づき前記第１のチャンネル選局制御手段により生成されたチャンネル選局情報に基づいてチャンネルを選局するテレビジョン放送受信装置。
【請求項２】
前記ＣＭ終了検出手段は、前記映像信号が表す映像情報を構成する複数の映像フレームのうちの特定の映像フレーム間の時間間隔、又は前記音声信号の周波数スペクトルの情報に基づいて前記ＣＭの終了時点を検出する請求項１に記載のテレビジョン放送受信装置。
【発明の詳細な説明】
【技術分野】
【０００１】
本発明は、テレビジョン放送信号を受信して、テレビジョン放送を視聴させるテレビジョン放送受信装置に関する。
【背景技術】
【０００２】
従来、テレビジョン放送受信装置の多くは、テレビジョン放送を受信するため複数のテレビチューナーを有し、種類によっては２画面以上の表示によって複数のチャンネルの放送番組（単に番組とも言う）を視聴することができる。民間放送においては、放送番組の途中に企業などの宣伝であるコマーシャル（以下、ＣＭとも言う）が入っており、放送番組とＣＭとの境界を判断する際、日本国内においては音声チャンネルのステレオとモノラルの差を利用し、外国においては放送番組とＣＭとの間に入れられた区切り映像を利用している。
【０００３】
ここで、複数のチャンネルの番組を視聴できるテレビジョン放送受信装置において、ユーザがあるチャンネルで番組を視聴していて、ＣＭの開始などをきっかけとして現在視聴している番組のチャンネルを別のチャンネルへ変更し、ＣＭ終了を判定し、元のチャンネルへ戻すには、２画面表示を設定し、主画面で現時点の視聴中のチャンネルの番組を表示させ、副画面で元のチャンネルの番組を表示させておく必要がある。そして、ユーザは主画面を見ながら副画面の映像を確認し、ＣＭが終了になったところで主画面のチャンネルを元のチャンネルへ切り替える操作が必要であった。下記の特許文献１には、２種類の放送を受信して映像を切り替える技術が開示されている。また、下記の特許文献２にはテレビジョン放送の録画装置が開示されており、その技術は音声や映像のシーン間隔及びＣＭ前後のカット映像の同一性の検出を行い、記録媒体への制御を行っているが、録画した番組のＣＭ部分を編集して別の媒体へ録画したり、ＣＭ部分を飛ばして再生を行う目的で用いられる。
【特許文献１】特許第３４３９０９２号公報（要約）
【特許文献２】特許第３５７８７１０号公報（要約）
【発明の開示】
【発明が解決しようとする課題】
【０００４】
テレビジョン放送におけるＣＭとは、テレビジョン放送番組のスポンサーである企業などの宣伝を行うものであるが、ユーザ側としてはＣＭによっては見るに耐えないといった状況もあるため、ＣＭを見ないようにするためには、上述したように、チャンネルを切り替え、一定時間他のチャンネルの番組を見て元の番組に戻すといった操作を行ったり、マルチウィンドウ表示ができるテレビジョン放送受信装置の２画面表示機能を利用し、ユーザ自身がＣＭ終了のタイミングを計ってチャンネル切替えを行ったりするので、操作が煩わしいといった問題があった。また２画面表示機能を利用した場合、表示画面を分割するため、１画面あたりの表示面積が少なく、映像画面が小さくなり見にくいといった問題もあった。
【０００５】
本発明は、上記問題を解決するためのものであり、ユーザ自身のチャンネル切替操作を必要とせずに、ＣＭなどにより一時的に切り替えたチャンネルを元の視聴していた番組のチャンネルに自動的に切り替えることができるテレビジョン放送受信装置を提供することを目的とする。
【課題を解決するための手段】
【０００６】
上記目的を達成するために、本発明によれば、テレビジョン放送信号を受信し、チャンネル選局情報に基づいてそれぞれ選局した２つのチャンネルの各前記テレビジョン放送信号に含まれる映像信号及び音声信号を抽出する第１及び第２の受信手段と、ユーザの視聴希望チャンネルを示すチャンネル情報を受け付ける指示受付手段と、前記チャンネル情報に基づいて生成する前記チャンネル選局情報を前記第１及び第２の受信手段に通知し、放送番組のチャンネル選局のための制御を行う第１及び第２のチャンネル選局制御手段と、前記第１及び第２の受信手段のそれぞれによって抽出された前記映像信号及び前記音声信号のデコード処理を行う第１及び第２の映像・音声デコード手段と、前記チャンネル情報を前記第１のチャンネル選局制御手段に送信するとともに、前記チャンネル情報により示される前記ユーザの視聴希望チャンネルに変更があったとき、前記視聴希望チャンネルの変更前のチャンネル情報を前記第２のチャンネル選局制御手段に送信するチャンネル制御手段と、前記チャンネル制御手段から受信した前記視聴希望チャンネルの変更前のチャンネル情報に基づき、前記第２のチャンネル選局制御手段により生成されたチャンネル選局情報に基づいて前記第２の受信手段によって選局されたチャンネルで放送されるＣＭの終了時点を検出するＣＭ終了検出手段とを備え、前記チャンネル制御手段は、前記ＣＭ終了検出手段によって前記ＣＭの終了時点が検出された場合に、前記視聴希望チャンネルの変更前のチャンネル情報を前記第１のチャンネル選局制御手段に送信し、前記第１の受信手段は、送信された前記視聴希望チャンネルの変更前のチャンネル情報に基づき前記第１のチャンネル選局制御手段により生成されたチャンネル選局情報に基づいてチャンネルを選局するテレビジョン放送受信装置が提供される。ここで、テレビジョン放送信号は、デジタル放送信号やアナログ放送信号を含む。この構成により、ユーザ自身のチャンネル切替操作（チャンネル変更操作）を必要とせずに、ＣＭなどにより一時的に切り替えたチャンネルを元の視聴していた番組のチャンネルに自動的に切り替えることができる。
【０００７】
また、本発明のテレビジョン放送受信装置において、前記ＣＭ終了検出手段が、前記映像信号が表す映像情報を構成する複数の映像フレームのうちの特定の映像フレーム間の時間間隔、又は前記音声信号の周波数スペクトルの情報に基づいて前記ＣＭの終了時点を検出することは、本発明の好ましい態様である。この構成により、より適切に元の視聴していた番組のチャンネルに自動的に切り替えることができる。
【発明の効果】
【０００８】
本発明のテレビジョン放送受信装置は、上記構成を有し、ユーザ自身のチャンネル切替操作を必要とせずに、ＣＭなどにより一時的に切り替えたチャンネルを元の視聴していた番組のチャンネルに自動的に切り替えることができる。
【発明を実施するための最良の形態】
【０００９】
＜第１の実施の形態＞
以下、本発明の第１の実施の形態について図１から図４を用いて説明する。図１は本発明の第１の実施の形態に係るテレビジョン放送受信装置の構成を示す構成図である。図２Ａは本発明の第１の実施の形態に係るテレビジョン放送受信装置における各ＧＯＰにおけるピクチャ間の時間を示す図（ＣＭ区間終了と判定しない場合）である。図２Ｂは本発明の第１の実施の形態に係るテレビジョン放送受信装置における各ＧＯＰにおけるピクチャ間の時間を示す図（ＣＭ区間終了と判定する場合）である。図３は本発明の第１の実施の形態に係るテレビジョン放送受信装置における音声変化によるＣＭ区間終了の検出について説明するための図である。図４は本発明の第１の実施の形態に係るテレビジョン放送受信装置におけるチャンネル自動切替えの処理フローを示すフローチャートである。
【００１０】
まず、本発明の第１の実施の形態に係るテレビジョン放送受信装置の構成について図１を用いて説明する。本発明の第１の実施の形態に係るテレビジョン放送受信装置１００は、テレビジョン放送信号を受信することができる受信部が２つ（後述する主放送受信部２及び副放送受信部５）設けられており、２画面同時に表示できる機能を有している。図１に示すように、テレビジョン放送受信装置１００は、主放送受信部２（上述した第１の受信手段に相当）、主映像・音声デコード部３（上述した第１の映像・音声デコード手段に相当）、主チャンネル選局制御部４（上述した第１のチャンネル選局制御手段に相当）、副放送受信部５（上述した第２の受信手段に相当）、副映像・音声デコード部６（上述した第２の映像・音声デコード手段に相当）、副チャンネル選局制御部７（上述した第２のチャンネル選局制御手段に相当）、チャンネル制御部８（上述したチャンネル制御手段に相当）、選局記憶部９、映像・音声検出部１０（上述したＣＭ終了検出手段に相当）、映像・音声出力制御部１１、機能処理部１２（上述した指示受付手段に相当）、ディスプレイ部１３から構成されている。なお、ディスプレイ部１３は、テレビジョン放送受信装置１００の構成要素でなく、テレビジョン放送受信装置１００に接続可能なものであってもよい。
【００１１】
主放送受信部２及び副放送受信部５は、アンテナ１を通じて地上波テレビ放送信号（以下、単に放送信号とも言う）を受信しており、例えばチューナーに相当するものである。主放送受信部２は、自ら選局したチャンネルの放送番組を構成する放送信号に含まれる映像信号及び音声信号を抽出する（チャンネル同期する）。主チャンネル選局制御部４は、主放送受信部２が自ら選局するチャンネルの情報であるチャンネル選局情報を生成するものである。具体的には、主チャンネル選局制御部４は、後述するチャンネル制御部８からチャンネル情報（例えば、４チャンネルのチャンネル情報）を受信すると、受信したチャンネル情報（４チャンネルのチャンネル情報）に対応した、あらかじめ設定されたチャンネルコード（例えば、４チャンネルならばチャンネルコード０００１、６チャンネルならば００１１などで主放送受信部２が認識可能なチャンネル選局情報）にチャンネル情報を変換して主放送受信部２に送信する。なお、副放送受信部５、副チャンネル選局制御部７においても同様である。また、主放送受信部２の出力信号（映像信号及び音声信号）を映像化、音声化する主映像・音声デコード部３が、受信した映像及び音声信号からデータ形式の変換を行い出力する。なお、副映像・音声デコード部６においても主映像・音声デコード部３と同様である。
【００１２】
映像・音声出力制御部１１は、主映像・音声デコード部３及び副映像・音声デコード部６の出力信号を受信し、ディスプレイ部１３や不図示のスピーカ部に対して、機能処理部１２からのチャンネル制御部８を経由した表示制御信号に基づいて、主放送受信部２の映像・音声のみ、副放送受信部５の映像・音声、主放送受信部２の映像・音声と副放送受信部５の映像、主放送受信部２の映像と副放送受信部５の映像、音声の４つのパターンの映像及び音声の出力の制御を行う。また、そのときのディスプレイ部１３における映像の表示サイズ（表示方法）は、様々なサイズで表示することが可能であり、例えば主放送受信部２の映像を画面全体の１２／１６を占める領域に表示させ、副放送受信部５の映像を画面全体の４／１６を占める領域に表示させる。
【００１３】
ここで、ユーザからリモコン又はテレビパネルの設定スイッチによってチャンネル自動切替設定が行われると、機能処理部１２はチャンネル制御部８へ通知を行い、設定フラグをオンにする。なお、この設定時期はチャンネル切替（変更）時でも電源投入時でもよく、設定がオンになった時点で自動切替えが有効になる。
【００１４】
ユーザによるリモコン又はチャンネルスイッチからのチャンネル選択（チャンネル指示）を受け取った機能処理部１２は、選択されたチャンネル情報をチャンネル制御部８へ通知する。通知を受け取ったチャンネル制御部８は、主チャンネル選局制御部４へチャンネル情報を通知する。このとき、変更前のチャンネル情報を選局記憶部９へ格納する。また、チャンネル制御部８は、副チャンネル選局制御部７へ選局記憶部９に格納されたチャンネル情報を通知する。通知を受けた副チャンネル選局制御部７は、副放送受信部５がチャンネルを選局できるようにチャンネル情報をチャンネル選局情報に変換して副放送受信部５に通知する。そして、映像・音声検出部１０を始動させる。このとき、映像・音声出力制御部１１は、ディスプレイ部１３への表示方法（例えば、上述した表示方法）に基づいて主映像・音声デコード部３の出力をディスプレイ部１３や不図示のスピーカに出力する。
【００１５】
上述した内容を具体的に説明する。例えばユーザが４チャンネルの放送番組（今まで視聴していた放送番組である主放送番組）を視聴していた場合に、主放送番組がＣＭに入ったため他のチャンネルである６チャンネルの放送番組を視聴しようと、リモコン又はチャンネルスイッチによってチャンネル選択（６チャンネルを選択）をした場合を考える。このとき、機能処理部１２は、６チャンネルのチャンネル情報をチャンネル制御部８へ通知する。
【００１６】
チャンネル制御部８は、主チャンネル選局制御部４へ６チャンネルのチャンネル情報を通知すると同時に、今まで視聴していた４チャンネルのチャンネル情報を選局記憶部９へ格納する。また、チャンネル制御部８は、副チャンネル選局制御部７へ選局記憶部９に格納された４チャンネルのチャンネル情報を通知する。通知を受けた副チャンネル選局制御部７は、副放送受信部５がチャンネルを選局できるようにチャンネル情報をチャンネル選局情報に変換して副放送受信部５に通知する。そして、映像・音声出力制御部１１は、ディスプレイ部１３への表示方法（例えば、上述した表示方法）に基づいて、選局されたチャンネルの映像信号及び音声信号を受信する主映像・音声デコード部３の出力（６チャンネルの放送番組の放送内容）をディスプレイ部１３に出力する。
【００１７】
次に、ＣＭが終了した後に、今まで視聴していた放送番組を放送するチャンネルへ戻すための処理について説明する。映像・音声検出部１０は、ＣＭが終了した後にチャンネルを主放送番組（例えば、上述した４チャンネルの放送番組）に自動的に戻すために、ＣＭから主放送番組への切り替わりを検出する。この切り替わりの検出方法はいくつかあり、以下に切り替わりの検出方法について説明する。なお、以下で説明する検出方法は、後述する第２の実施の形態においても同様に用いることが可能である。
【００１８】
まず、１つ目の検出方法として映像の変化による検出方法が考えられる。ここで、放送メディアからの放送番組は、一般に３つのピクチャタイプ（Ｉ、Ｐ、Ｂピクチャフレーム）から構成されるＭＰＥＧ方式で受信される。シーンの変化が大きいときにはＩピクチャフレームが生成される。つまり、放送番組の映像シーンが変化したときにもＩピクチャフレームが生成される。Ｉピクチャはすべての画面情報を有しているものであり、Ｐピクチャは前の画面との差分情報だけを有しているものであり、ＢピクチャはＩ及びＰピクチャから補完されて作られたものである。なお、詳細については公知の技術であるため説明は省略する。
【００１９】
特に、ＣＭなどは、通常の放送番組に比べ、短時間でのシーン変化が発生するため、Ｉピクチャフレームの発生間隔が短い。そこで、ＭＰＥＧ方式のフレーム生成の機能を利用し、Ｉピクチャフレームの検出間隔が長くなったときにＣＭ終了と判定する。図２Ａ、Ｂには、映像シーンを構成するＧＯＰ（Group Of Picture：Ｉピクチャフレームを1つ以上含み、それに続くＰピクチャフレーム、Ｂピクチャフレームを一まとめにグループ化したもの）が示されており、縦軸はフレーム数、横軸は各ＧＯＰとなっている。ここで、図２Ｂでは、ＧＯＰｎ＋８からＧＯＰｎ＋１０まではＩピクチャフレームの発生間隔が短く、ＧＯＰｎ＋１１からＩピクチャフレームの発生間隔が長くなっている。
【００２０】
上述したように、ＣＭは、通常の放送番組に比べてＩピクチャフレームの発生間隔が短いということから、ＧＯＰｎ＋８からＧＯＰｎ＋１０までの間はＣＭで、ＧＯＰｎ＋１１から放送番組であることがわかる。一方、図２ＡではＣＭ区間がどこなのか判定することは困難である。ＣＭがどこで終了したかを判定する際の基準として、例えば４つの各ＧＯＰの時間がＴｎ＋０、Ｔｎ＋１、Ｔｎ＋２、Ｔｎ＋３である場合に、「Ｔｎ＋０＜Ｔｎ＋３かつＴｎ＋１＜Ｔｎ＋３かつＴｎ＋２＜Ｔｎ＋３」を満たすか否かという基準が考えられる。図２Ｂでは「Ｔｎ＋８＜Ｔｎ＋１１かつＴｎ＋９＜Ｔｎ＋１１かつＴｎ＋１０＜Ｔｎ＋１１」となっており、上記基準を満たしている。なお、ここでは４つのＧＯＰの時間を比較しているが４つに限られるものではない。
【００２１】
また、他の検出方法としては音声変化による検出方法が考えられる。この検出方法の前提として、放送番組が、放送番組の再開時に視聴者の記憶を呼び起こすために、ＣＭ部分になる前に放送した放送番組の一部分をＣＭ部分が終了した後に再開後の放送番組の冒頭から数秒から数１０秒にわたって再度放送する番組であることが必要となる。この前提の下で、この検出方法は、ＣＭに入った際のユーザによるチャンネル切替指示をトリガとして、ＣＭに入る前のある一定時間の音声信号の周波数スペクトルの情報が、その後の音声信号の周波数スペクトルの情報と同様であるか否かを検出する方法である。
【００２２】
周波数スペクトルの情報とは、どの周波数がどの程度含まれているか（割合）を表す情報である。具体的な検出方法として、図３に示すように、ユーザによるチャンネル切替指示があった場合に、ＣＭに入る前の一定時間の放送番組の音声信号の周波数に対して逆相を掛けた逆相周波数を生成し、生成された逆相周波数をその後の音声信号の周波数に足し合わせた結果が所定の閾値以下となった場合にＣＭが終了して放送番組が開始されたと判断する方法がある。
【００２３】
この他の検出方法としては時間を検出する方法が考えられる。一般にＣＭの時間は１５秒の倍数の時間である。この性質を利用して、ＣＭに入ってから（チャンネルが変更されてから）例えば１５秒経過したらタイムアップを検出する。この検出に基づいて今まで視聴していた放送番組のチャンネルへ戻す。これにより、ユーザ自らチャンネルを戻す操作をせずに自動的にチャンネルが戻る。
【００２４】
以上説明したようにＣＭから主放送番組への切り替わりを映像・音声検出部１０が検出すると、映像・音声検出部１０はチャンネル制御部８へチャンネル切替通知を出力する。チャンネル切替通知を受けたチャンネル制御部８は、設定されたチャンネル自動切替設定を確認し、オフならば何もせずに終了する。一方、オンの場合には、選局記憶部９に格納されたチャンネル情報（例えば、上述した４チャンネルのチャンネル情報）を主チャンネル選局制御部４へ通知する。主チャンネル選局制御部４は、受けたチャンネル情報に基づいてチャンネル選局情報に変換し、主放送受信部２に通知する。また、画面が２画面表示である場合にのみ副チャンネル選局制御部７に対して、変更前のチャンネル情報（例えば、上述した６チャンネルのチャンネル情報）を通知し、変更前のチャンネル情報に基づいてチャンネル選局情報に変換し、副放送受信部５に通知する。
【００２５】
また、映像・音声出力制御部１１は、あらかじめ設定された表示画面の制御を行う。なお、例えば、自動切り替わり後に２画面表示から１画面表示の変更がオンにされた場合、映像を画面の最大サイズで表示できるようにディスプレイ部１３に通知する。また、１回の自動切り替わりごとに、選局記憶部９に記憶された情報をクリアし、自動切替えの誤差を防止している。
【００２６】
なお、自動切り替わりが起こった場合に、記憶された情報がクリアされた選局記憶部９に、一時的に視聴していた放送番組のチャンネル情報（例えば、上述した６チャンネルのチャンネル情報）を記憶しておいてもよい。このように一時的に視聴していたチャンネル情報を記憶しておくことによって、切り替わって視聴していた主放送番組（例えば、上述した４チャンネルの放送番組）が再度ＣＭに入ったときに、再度ユーザがチャンネル（例えば、６チャンネルへ）の切替を行うことなく、以前一時的に視聴していた放送番組（例えば、６チャンネルの放送番組）を視聴することが可能となる。この態様は後述する第２の実施の形態においても有効である。
【００２７】
次に、本発明の第１の実施の形態に係るテレビジョン放送受信装置におけるチャンネル自動切替えの処理フローについて図４を用いて説明する。ユーザが、例えば４チャンネルの放送番組（主放送番組）を視聴しているとする。４チャンネルの放送番組がＣＭに入ったので、別のチャンネルの放送番組、例えば６チャンネルの放送番組を視聴するために、ユーザのリモコン操作などによるチャンネル切替指示を受け付ける（ステップＳ４０１）ここで、チャンネル制御部８は、チャンネル自動切替設定がオンにされているか否かを判断する（ステップＳ４０２）。オンされていない場合には、機能処理部１２は、６チャンネルのチャンネル情報をチャンネル制御部８へ通知する（ステップＳ４０３）。
【００２８】
一方、ステップＳ４０２において、チャンネル自動切替設定がオンにされていると判断された場合には、機能処理部１２は、６チャンネルのチャンネル情報をチャンネル制御部８へ通知する（ステップＳ４０４）。チャンネル制御部８は、主チャンネル選局制御部４へ６チャンネルのチャンネル情報を通知すると同時に、今まで視聴していた４チャンネルのチャンネル情報を選局記憶部９へ格納する（ステップＳ４０５）。また、チャンネル制御部８は、副チャンネル選局制御部７へ選局記憶部９に格納された４チャンネルのチャンネル情報を通知する（ステップＳ４０６）。通知を受けた副チャンネル選局制御部７は、４チャンネルのチャンネル情報を対応するチャンネル選局情報に変換し、副放送受信部５に通知する（ステップＳ４０７）。そして、映像・音声出力制御部１１は、ディスプレイ部１３への表示方法（例えば、上述した表示方法）に基づいて主映像・音声デコード部３の出力（６チャンネルの放送番組の放送内容）をディスプレイ部１３に出力する（ステップＳ４０８）。
【００２９】
映像・音声検出部１０は、ＣＭから４チャンネルの放送番組への切り替わったか否かを判断する（ステップＳ４０９）。映像・音声検出部１０は、切り替わりを検出すると、チャンネル制御部８へチャンネル切替通知を出力する（ステップＳ４１０）。チャンネル切替通知を受けたチャンネル制御部８は、選局記憶部９に格納されたチャンネル情報（４チャンネルのチャンネル情報）を主チャンネル選局制御部４へ通知する（ステップＳ４１１）。主チャンネル選局制御部４は、受けたチャンネル情報をチャンネル選局情報に変換して主放送受信部２に通知する（ステップＳ４１２）。なお、画面が２画面表示である場合にのみ副チャンネル選局制御部７に対して、チャンネル制御部８は、変更前のチャンネル情報（６チャンネルのチャンネル情報）を通知し、副チャンネル選局制御部７は、変更前のチャンネル情報に基づいてチャンネル選局情報に変換して副放送受信部５に通知する。
【００３０】
映像・音声出力制御部１１は、あらかじめ設定された表示画面の制御をディスプレイ部１３に対して行う（ステップＳ４１３）。なお、例えば、自動切り替わり後に２画面表示から１画面表示の変更がオンにされた場合、映像を画面の最大サイズで表示できるようにディスプレイ部１３に通知する。
【００３１】
＜第２の実施の形態＞
以下、本発明の第２の実施の形態に係るテレビジョン放送受信装置について図５及び図６を用いて説明する。まず、本発明の第２の実施の形態に係るテレビジョン放送受信装置の構成について図５を用いて説明する。本発明の第２の実施の形態に係るテレビジョン放送受信装置５００は、テレビジョン放送信号を受信することができる受信部が２つ（後述する主放送受信部２２及び副放送受信部２６）設けられており、ディスプレイ３３へは主放送受信部２２の映像のみを表示し、主放送受信部２２の音声のみを出力する。一方で、テレビジョン放送受信装置５００は、副放送受信部２６の出力である映像・音声から、放送番組かＣＭかを判定するＣＭ終了検出機能を有し、ＣＭ終了時に視聴している放送番組のチャンネルを今まで視聴していた放送番組のチャンネルへ自動的に切り替える機能を有している。
【００３２】
図５に示すように、テレビジョン放送受信装置５００は、主放送受信部２２、主映像・音声デコード部２３、映像・音声出力制御部２４、主チャンネル選局制御部２５、副放送受信部２６、副映像・音声デコード部２７、チャンネル制御部２８、副チャンネル選局制御部２９、映像・音声検出部３０、選局記憶部３１、機能処理部３２、ディスプレイ部３３から構成されている。なお、各部に対応する上述した各手段は、第１の実施の形態と同様であり、ディスプレイ部３３は、テレビジョン放送受信装置５００の構成要素でなく、テレビジョン放送受信装置５００に接続可能なものであってもよい。
【００３３】
主放送受信部２２及び副放送受信部２６は、アンテナ２１を通じて地上波テレビ放送信号（放送信号）を受信しており、例えばチューナーに相当するものである。主放送受信部２２は、自ら選局したチャンネルの放送番組を構成する放送信号に含まれる映像信号及び音声信号を抽出する（チャンネル同期する）。主チャンネル選局制御部２５は、主放送受信部２２が自ら選局するチャンネルの情報であるチャンネル選局情報を生成するものである。チャンネル選局情報の生成については第１の実施の形態と同様であるため説明を省略する。なお、副放送受信部２６、副チャンネル選局制御部２９においても同様である。また、主放送受信部２２の出力信号（映像信号及び音声信号）を映像化、音声化する主映像・音声デコード部２３が、受信した映像及び音声信号からデータ形式の変換を行い出力する。なお、副映像・音声デコード部２７においても主映像・音声デコード部２３と同様である。映像・音声出力制御部２４は、主映像・音声デコード部２３の出力信号を受信し、ディスプレイ部３３や不図示のスピーカ部に対して出力する。
【００３４】
ここで、ユーザからリモコン又はテレビパネルの設定スイッチによってチャンネル自動切替設定が行われると、機能処理部３２はチャンネル制御部２８へ通知を行い、設定フラグをオンにする。なお、この設定時期はチャンネル切替時でも電源投入時でもよく、設定がオンになった時点で自動切替えが有効になる。
【００３５】
ユーザによるリモコン又はチャンネルスイッチからのチャンネル選択を受け取った機能処理部３２は、選択されたチャンネル情報をチャンネル制御部２８へ通知する。通知を受け取ったチャンネル制御部２８は、主チャンネル選局制御部２５へ選局するチャンネル情報を通知する。このとき、変更前のチャンネル情報を選局記憶部３１へ格納する。また、チャンネル制御部２８は、副チャンネル選局制御部２９へ選局記憶部３１に格納されたチャンネル情報を通知する。通知を受けた副チャンネル選局制御部２９は、チャンネル情報をチャンネル選局情報に変換し、副放送受信部２６に通知する。そして、映像・音声検出部３０を始動させる。
【００３６】
第１の実施の形態のように、ＣＭから主放送番組への切り替わりを映像・音声検出部３０が検出すると、映像・音声検出部３０はチャンネル制御部２８へチャンネル切替通知を出力する。チャンネル切替通知を受けたチャンネル制御部２８は、設定されたチャンネル自動切替設定を確認し、オフならば何もせずに終了する。一方、オンの場合には、選局記憶部３１に格納されたチャンネル情報（例えば、上述した４チャンネルのチャンネル情報）を主チャンネル選局制御部２５へ通知する。主チャンネル選局制御部２５は、受けたチャンネル情報に基づいてチャンネル選局情報に変換し、主放送受信部２２に通知する。また、１回の自動切り替わりごとに、選局記憶部３１に記憶された情報をクリアし、自動切替えの誤差を防止している。
【００３７】
次に、本発明の第２の実施の形態に係るテレビジョン放送受信装置におけるチャンネル自動切替えの処理フローについて図６を用いて説明する。ユーザが、例えば４チャンネルの放送番組（主放送番組）を視聴しているとする。４チャンネルの放送番組がＣＭに入ったので、別のチャンネルの放送番組、例えば６チャンネルの放送番組を視聴するために、ユーザのリモコン操作などによるチャンネル切替指示を受け付ける（ステップＳ６０１）ここで、チャンネル制御部２８は、チャンネル自動切替設定がオンにされているか否かを判断する（ステップＳ６０２）。オンされていない場合には、機能処理部３２は、６チャンネルのチャンネル情報をチャンネル制御部２８へ通知する（ステップＳ６０３）。
【００３８】
一方、ステップＳ６０２において、チャンネル自動切替設定がオンにされていると判断された場合には、機能処理部３２は、６チャンネルのチャンネル情報をチャンネル制御部２８へ通知する（ステップＳ６０４）。チャンネル制御部２８は、主チャンネル選局制御部２５へ６チャンネルのチャンネル情報を通知すると同時に、今まで視聴していた４チャンネルのチャンネル情報を選局記憶部３１へ格納する（ステップＳ６０５）。また、チャンネル制御部２８は、副チャンネル選局制御部２９へ選局記憶部３１に格納された４チャンネルのチャンネル情報を通知する（ステップＳ６０６）。通知を受けた副チャンネル選局制御部２９は、チャンネル情報をチャンネル選局情報に変換し、副放送受信部２６に通知する（ステップＳ６０７）。このとき、映像・音声出力制御部２４は、チャンネル制御部２８によって主チャンネル選局制御部２５へ通知された６チャンネルのチャンネル情報に基づく主映像・音声デコード部２３の出力のみをディスプレイ部３３に出力する（ステップＳ６０８）。
【００３９】
映像・音声検出部３０は、ＣＭから４チャンネルの放送番組への切り替わったか否かを判断する（ステップＳ６０９）。映像・音声検出部３０は、切り替わりを検出すると、チャンネル制御部２８へチャンネル切替通知を出力する（ステップＳ６１０）。チャンネル切替通知を受けたチャンネル制御部２８は、選局記憶部３１に格納されたチャンネル情報（４チャンネルのチャンネル情報）を主チャンネル選局制御部２５へ通知する（ステップＳ６１１）。主チャンネル選局制御部２５は、受けたチャンネル情報をチャンネル選局情報に変換し、主放送受信部２２に通知する（ステップＳ６１２）。そして、映像・音声出力制御部２４は、主映像・音声デコード部２３の出力信号に基づいてディスプレイ部３３に映像及び音声を出力する（ステップ６１３）。
【産業上の利用可能性】
【００４０】
本発明に係るテレビジョン放送受信装置は、ユーザ自身のチャンネル切替操作を必要とせずに、ＣＭなどにより一時的に切り替えたチャンネルを元の視聴していた番組のチャンネルに自動的に切り替えることができるため、テレビジョン放送信号を受信して、テレビジョン放送を視聴させるテレビジョン放送受信装置などに有用である。
【図面の簡単な説明】
【００４１】
【図１】本発明の第１の実施の形態に係るテレビジョン放送受信装置の構成を示す構成図である。
【図２Ａ】本発明の第１の実施の形態に係るテレビジョン放送受信装置における各ＧＯＰにおけるピクチャ間の時間を示す図（ＣＭ区間終了と判定しない場合）である。
【図２Ｂ】本発明の第１の実施の形態に係るテレビジョン放送受信装置における各ＧＯＰにおけるピクチャ間の時間を示す図（ＣＭ区間終了と判定する場合）である。
【図３】本発明の第１の実施の形態に係るテレビジョン放送受信装置における音声変化によるＣＭ区間終了の検出について説明するための図である。
【図４】本発明の第１の実施の形態に係るテレビジョン放送受信装置におけるチャンネル自動切替えの処理フローを示すフローチャートである。
【図５】本発明の第２の実施の形態に係るテレビジョン放送受信装置の構成を示す構成図である。
【図６】本発明の第２の実施の形態に係るテレビジョン放送受信装置におけるチャンネル自動切替えの処理フローを示すフローチャートである。
【符号の説明】
【００４２】
１、２１  アンテナ
２、２２  主放送受信部（第１の受信手段）
３、２３  主映像・音声デコード部（第１の映像・音声デコード手段）
４、２５  主チャンネル選局制御部（第１のチャンネル選局制御手段）
５、２６  副放送受信部（第２の受信手段）
６、２７  副映像・音声デコード部（第２の映像・音声デコード手段）
７、２９  副チャンネル選局制御部（第２のチャンネル選局制御手段）
８、２８  チャンネル制御部（チャンネル制御手段）
９、３１  選局記憶部
１０、３０  映像・音声検出部（ＣＭ終了検出手段）
１１、２４  映像・音声出力制御部
１２、３２  機能処理部（指示受付手段）
１３、３３  ディスプレイ部
１００、５００  テレビジョン放送受信装置
【図１】
2007116537.tif 000003
【図２Ａ】
2007116537.tif 000004
【図２Ｂ】
2007116537.tif 000005
【図３】
2007116537.tif 000006
【図４】
2007116537.tif 000007
【図５】
2007116537.tif 000008
【図６】
2007116537.tif 000009